Podtech/llm-jp-corpus-v4-ja_patent huggingface dataset:
(57)【要約】      （修正有）【課題】排水管、側溝などの交差部や連結部に設置される四角筒状のコンクリート溜桝において、バールの梃子作用を効率よく利用し、重量物であるコンクリート溜桝の据付位置を微調整し、容易に施工できるコンクリート溜桝を提供する。【解決手段】コンクリート溜桝１の側壁４の接地底面全周にわたって連続する凸部２を形成し、バール１０を上部から、凸部２と溜桝底面によりできた隙間２ｃに差し込み、梃子の作用によりわずかに浮き上がらせ、溜桝を前後左右に移動させる。【選択図】図２
0003223211.tif 000002
【実用新案登録請求の範囲】
【請求項１】
排水管、側溝などの交差部や連結部に設置される四角筒状のコンクリート溜桝において、側壁の接地底面全周にわたって連続する凸部を形成したことを特徴とするコンクリート溜桝。
【請求項２】
前記連続する凸部が、側壁の接地底面の厚み幅中央部の全周にわたって連続して形成されていることを特徴とする請求項１記載のコンクリート溜桝。
【請求項３】
前記連続する凸部の立ち上がり片側面が、側壁の内側面と同一面となるように連続して形成されていることを特徴とする請求項１記載のコンクリート溜桝。
【請求項４】
前記凸部の立ち上がり片側面が、側壁の外側面と同一面となるように連続して形成されていることを特徴とする請求項１記載のコンクリート溜桝。
【考案の詳細な説明】
【技術分野】
【０００１】本考案は、コンクリート溜桝に関する。
【背景技術】
【０００２】一般に、コンクリート溜桝は、その天面のみを地表に露出させ、地中に埋設して使用されるものである。したがって、その施工にあたっては、該溜桝の外寸法より大きめの穴を掘り、その中へコンクリート溜桝を吊り下ろす方法を採る。ここで、吊り下ろされた溜桝の開口部位置と天面レベルは、接続される側溝の開口部位置、天面レベルとそれぞれ一致させる必要がある。しかしながら、一旦設置されたコンクリート溜桝を、据付位置調整のために移動させることは重量物である為、容易ではない。掘り起こし穴に沈設された溜桝の周囲は狭い空間しかないので、土木作業用重機が自由に使えないからである。そこで、据付位置の微調整の為、人力により溜桝の側壁を垂木で押したりワイヤーで引き寄せたりしているのが実情である。【０００３】特許文献１では、コンクリートブロック下部の端面接地部に複数個の切り欠き穴を形成することで、該切り欠き穴にバールを差し込み、コンクリートブロックを、梃子の原理で浮き上がらせながら移動させることが提案されている。本提案は、バールによる挺子作用を利用できる点で優れている。【０００４】しかしながら、施工現場の状況に応じて最適なバール差し込み位置が変わるため、特定の位置に特定のサイズの切り欠き穴では、最適な位置にバールを差し込むことができない。このため、バールの梃子作用を効率よく利用できない点で不便であった。
【先行技術文献】
【特許文献１】公開実用新案公報  昭６１−１５３４１
【考案の開示】
【考案が解決しようとする課題】
【０００５】本考案は、バールの梃子作用を効率よく利用し、重量物であるコンクリート溜桝の据付位置を微調整し、容易に施工できるコンクリート溜桝を提供することを課題とする。
【課題を解決するための手段】
【０００６】請求項１の考案は、排水管、側溝などの交差部や連結部に設置される四角筒状のコンクリート溜桝において、側壁の接地底面全周にわたって連続する凸部を形成したことに特徴を有する。
請求項２の考案は、前記請求項１の考案において、連続する凸部が、側壁の接地底面の厚み幅中央部の全周にわたって連続して形成されていることに特徴を有する。
請求項３の考案は、前記請求項１の考案において、連続する凸部の立ち上がり片側面が、側壁の内側面と同一面となるように連続して形成されていることを特徴とする。
請求項４の考案は、前記請求項１の考案において、連続する凸部の立ち上がり片側面が、側壁の外側面と同一面となるように連続して形成されていることを特徴とする。
【考案の効果】
【０００７】本考案にかかるコンクリート溜桝によれば、接地部底面の全周にわたり任意の効果的な位置にバールを差し込み、わずかに浮き上がらせて前後左右に移動することができるため、溜桝を容易に施工できる。溜桝の底面に凸部を設けているので、基礎コンクリートとの接地面積が小さくなり、移動させるときの摩擦抵抗を小さくすることができる。
【図面の簡単な説明】
【０００８】
【図１】は、第１実施形態にかかる溜桝１の斜視図である。
【図２】は、第１実施形態にかかる溜桝１の断面図であり、さらにバールを使用して施工している状態を示す説明図である。
【図３】は、第２実施形態にかかる溜桝１の斜視図である。
【図４】は、第３実施形態にかかる溜桝１の斜視図である。
【考案を実施するための形態】
【０００９】本考案の実施例を図面に基づいて説明する。
【実施例】
【００１０】（第１実施形態）図１は、本考案のコンクリート溜桝１を上下反転し、底面部を上にした場合の斜視図である。図１に示すように、溜桝１の接地底面３の厚み幅の中央部に、全周にわたって連続した凸部２を設けている。
図２は、溜桝１の断面図であり、さらにバール１０を使用して施工している状態を示す説明図である。一般に溜桝の施工は、予め設けた基礎コンクリート１１の上に、吊り下げ設置される。次に、この溜桝側壁開口部５とこれに接続する側溝開口部を、縦横・上下が完全に整合するように微調整する。図２では、バール１０を上部から、凸部２と溜桝底面３によりできた隙間２ｃに差し込み、梃子の作用によりわずかに浮き上がらせ、溜桝１を横に摺り移動させている説明図である。図２には示していないが、溜桝内側の隙間２ｃにバール１０を差し込むこともできる。【００１１】（第２実施形態）図３は、溜桝１の底面に設けた連続する凸部２の位置が、凸部の内面側立ち上がり側面２ａと溜桝の側壁内面４ａが同一面となるように設けたものである。この場合、バールを差し込む隙間２ｃは、溜桝の外面側となる。【００１２】（第３実施形態）図４は、溜桝１の底面に設けた連続する凸部２の位置が、凸部の外面側立ち上がり側面２ｂと溜桝の側壁外面４ｂが同一面となるように設けたものである。この場合、バールを差し込む隙間２ｃは、溜桝の内面側となる。
以上、本考案のコンクリート溜桝を詳しく説明したが、本考案の溜桝１はいずれも、溜桝底面３の一部に凸部２を設けているので、基礎コンクリート１１との接地面積は小さくなる。このため、バール１０でわずかに浮き上がらせて前後左右に移動させるとき、全体の接地界面摩擦抵抗は小さくなり、移動がより容易になる。
【符号の説明】
【００１３】１    本考案のコンクリート溜桝
２    連続した凸部
２ａ  凸部内面側の立ち上がり側面
２ｂ  凸部外面側の立ち上がり側面
２ｃ  バール差し込み間隙（内外両面側）
３    側壁底面
４    側壁
４ａ  側壁内面
４ｂ  側壁外面
５    側壁開口部
１０  バール
１１  基礎コンクリート
【図１】
0003223211.tif 000003
【図２】
0003223211.tif 000004
【図３】
0003223211.tif 000005
【図４】
0003223211.tif 000006
(57)【要約】      （修正有）【課題】荷物の量に応じて伸縮可能な買い物袋を提供する。【解決手段】下端部に底部を備え、上部開口端の周縁の近傍に左右に提げ部を設けた本体部５と本体部の左右両側面より延設される一対の補助部６とからなる買い物袋であって、一対の補助部は、本体部底面の左右両側縁と補助部底面の一方の両側縁との間を弾性部材４により伸縮可能に接合される補助部底面伸縮部１０と、本体部表裏面の左右両側縁と補助部表裏面の一方の両側縁との間を弾性部材により伸縮可能に接合される補助部表裏面伸縮部１１を備え、本体部に対して左右一対の補助部が容量変化可能に構成される。荷物の量により手提げ部２と肩かけ部８を持つことが好ましい。【選択図】図６
0003223218.tif 000002
【実用新案登録請求の範囲】
【請求項１】
下端部に底部を備え、上部開口端の周縁の近傍に左右に提げ部を設けた本体部と本体部の左右両側面より延設される一対の補助部とからなる買い物袋であって、前記一対の補助部は、本体部底面の左右両側縁と補助部底面の一方の両側縁との間を弾性部材により伸縮可能に接合されている補助部底面伸縮部と、本体部表裏面の左右両側縁と補助部表裏面の一方の両側縁との間を弾性部材により伸縮可能に接合されている補助部表裏面伸縮部を備えることにより買い物袋本体部に対して左右一対の補助部が容量変化を可能にした買い物袋。
【請求項２】
前記、提げ部は荷物の量により手提げ部と肩かけ部を持つことを特徴とする請求項１に記載の買い物袋。
【考案の詳細な説明】
【技術分野】
【０００１】買い物袋の材料を軽くする為に布製又は化学繊維で作られ、買い物袋内の購入品が少ない時は縮み、多い時は伸びるように弾性部材（生ゴム、合成ゴム）で調整され、この弾性部材と購入品とが直接接しないよう緩衝材を設けている買い物袋に関するものである。
【背景技術】
【０００２】環境に最悪のレジ袋は急速に削除され、それに代わる買い物袋が主流になる、現状の市販バックは長手の購入品では立てにしか入らず、人目に付き易い、この人目を気にする人の為に横に収納できる寸法の買い物袋で、買い物の少ない時は弾性部材で収縮して小型の買い物袋となる。
【先行技術文献】
【特許文献】
【０００３】
【特許文献１】特開第２０１４一１４４２３３号公報
【特許文献２】実用新案登録第３１８３９６９号公報
【考案の概要】
【考案が解決しようとする課題】
【０００４】今日までの市販のエコバックは小さいバック、大きいバックと多種、多様と販売されているが、長手の購入品（葉付きダイコン、ネギ、ゴボオ等）は従来の市販のバック内におさまらず殆どが立てて収納している、又外出先での荷物の量の予測は難しい、特開第２０１４一１４４２３３号公報は荷物の量により持ち手を変える方式だが荷物の量が多い時はバックその物が立て長で一番底の購入品は上からの重みで潰れる心配が有る、又実用新案登録第３１８３９６９号公報に付いて組み立て前は小型であるが組み立て後は大きいバックになる、本発明は、以上の問題点を解決する為に考えられた買い物袋である。
【課題を解決するための手段】
【０００５】課題を解決するためには上部開口端に手提げ部を設けた本体部と、本体部の左右に補助部を設け、長手の購入品に対応する為補助部が伸び又購入品が少ない時は弾性部材が縮小し補助部が縮小する事により解決され、この買い物袋の考案によって問題が解決される。
【考案の効果】
【０００６】少しの買い物は小さいバック、多い時には大きいバックが理想であるがそうはいかない時が多い、ここでの考案は買い物袋１個を持参すれば、購入量及び長手の購入品に対応しても、この買い物袋は全く心配なく持ち運び可能であり、この考案の効果はある。
【図面の簡単な説明】
【０００７】購入量の心配する必要のない安心な買い物袋の外観図、構造図、立体図である。
【図１】左右の補助部６が縮小した側面図
【図２】スライド底板７が縮小した状態
【図３】左右の補助部６が拡大した側面図
【図４】スライド底板７が拡大した状態
【図５】本体部５、補助部６との接続部３の詳細図
【図６】補助部６が拡大した立体図
【考案を実施するための形態】
【０００８】以下、本発明の実施の形態を説明する。
本発明は本体部５に左右補助部６を設け、補助部６は弾性部材により収縮し、又左右に付属の手提げ部２と肩かけ部８を設けた買い物袋に関するものである。
（イ）本体部５に接続された左右補助部６は荷物の量により収縮し内容積を可変する。
（ロ）購入品が少ない時は本体部５の底面のスライド底板７が矢印  方向に縮小する。
（ハ）購入品が多い時、左右の補助部６が拡大し、本体部５の左右に付属の肩かけ部８、補助部６を縮める為の弾性部４を設けてある。
（二）購入品が多い時は本体部５の底面のスライド底板７が矢印方向に拡大する。
（ホ）スライド底板７と弾性部４が動作した時、お互いにすれ合いを防止する為、緩衝材９を設けた。
（ヘ）本体部５の左右に補助部６を設け、両底部及び左右側部に弾性部材４を付属し補助部６の収縮を行っている。
【実施例】
【０００９】買い物袋を時参し購入量が増すに従って買い物袋の長手方向に左右補助部が拡大し肩かけ部で運搬する、又少量を購入した時には買い物袋は左右の補助部が縮小した状態で付属の手提げ部を利用する。
【符号の説明】
【００１０】    １、固定底板
２、手提げ部
３、本体部と補助部との接続部
４、弾性部材
５、本体部
６、補助部
７、スライドする底板
８、肩かけ部
９、緩衝材
１０、補助部底面伸縮部
１１、補助部表裏面伸縮部
【図１】
0003223218.tif 000003
【図２】
0003223218.tif 000004
【図３】
0003223218.tif 000005
【図４】
0003223218.tif 000006
【図５】
0003223218.tif 000007
【図６】
0003223218.tif 000008
(57)【要約】      （修正有）【課題】あおり運転防止装置を提供する。【解決手段】自動車の後部ガラス内側に、青色で、「ごめんなさい  おさきにどうぞ」２と表示する。【選択図】図１
0003223295.tif 000002
【実用新案登録請求の範囲】
【請求項１】
あおり運転を防止するため、車両の後部ガラス内側に、青色で  ごめんなさい  おさきにどうぞ  と  あかちゃんが  のっています  を表示する電光文字移動式表示装置（機器）を設置する。
【考案の詳細な説明】
【技術分野】
【０００１】  自動車製造分野
【背景技術】
【０００２】
【先行技術文献】
【特許文献】
【０００３】
【特許文献１】文献番号  特開平０８−２７２３２１  車両の対外表示装置として出願・公知されている。
【特許文献２】
【非特許文献】
【０００４】
【非特許文献１】
【考案の概要】
【考案が解決しようとする課題】  道路運送車両法上の問題、自動車製造事業者の開発意欲
【課題を解決するための手段】  自動車製造事業者の技術開発
【考案の効果】  青色は、精神安定作用があると言われている。その効果が後続車両に伝わり、あおり運転防止効果並びに自車の事故防止対策に効果がある。
【図面の簡単な説明】
【図１】あおり運転防止装置の実施図です。
【考案を実施するための形態】
本考案を、自動車の後部ガラス内側に設置して前記文言を表示する。
【実施例】  説明しません。
【産業上の利用可能性】  交通事故防止対策により、人的・物的な損失抑止並びに経済的効果が期待できる。
【符号の説明】  １  電光文字移動式表示装置（機器）
２  表示文言
３  電源・接続コード
４  スイッチ（表示切り替え機能付き）
【図１】
0003223295.tif 000003
【手続補正書】
【提出日】令和1年5月30日(2019.5.30)
【手続補正１】
【補正対象書類名】実用新案登録請求の範囲
【補正対象項目名】全文
【補正方法】変更
【補正の内容】
【実用新案登録請求の範囲】
【請求項１】
あおり運転を防止するため、自動車の後部（リアガラス内側、後あおり）に、青色で、ごめんなさい  おさきにどうぞ  と表示する電光文字移動表示装置（機器）。
【手続補正書】
【提出日】令和1年7月17日(2019.7.17)
【手続補正１】
【補正対象書類名】実用新案登録請求の範囲
【補正対象項目名】全文
【補正方法】変更
【補正の内容】
【実用新案登録請求の範囲】
【請求項１】
あおり運転を防止するため、自動車の後部ガラス内側に、青色で、ごめんなさい  おさきにどうぞ  と表示する電光文字移動表示装置（機器）。
(57)【要約】      （修正有）【課題】一般旅客自動車の室内の座席シートに装備するケアーズ型チャイルドシートを提供する。【解決手段】一般旅客自動車のチャイルドシートとしてケアーズ幼児用航空機セーフティベルトシステムに、パッド付の股間固定ベルト９を設けて、乳児も使用できる。【選択図】図１
0003223299.tif 000002
【実用新案登録請求の範囲】
一般旅客自動車のチャイルドシートとしてケアーズ幼児用航空機セーフティベルトシステム（以下、ケアーズ型チャイルドシートという。）に、パッド付の股間固定ベルトを設けて、乳児も使用できるようにするものである。
【考案の詳細な説明】
【技術分野】
【０００１】  本考案は、一般旅客自動車の室内の座席シートに装備するケアーズ型チャイルドシートに関するものである。
【背景技術】
【０００２】  幼児が自動車に乗車した際、チャイルドシートを着用しないときの交通事故の危険性は、周知のとおりである。
自動車の運転者は、幼児用補助装置（いわゆるチャイルドシート）を使用しない幼児（６歳未満）を乗車させ運転してはならない（道路交通法第７１条の３第４項）。ただし、政令で、一般旅客自動車運送事業の用に供される自動車の運転者が当該事業に係る旅客である幼児を乗車させる場合は、チャイルドシートの着用が免除される（政令である道路交通法施行令第２６条の３の２第４項第６号）。つまり、路線バス、観光バス、タクシーは、チャイルドシート着用義務が免除されている。
一方、飛行機は、国土交通省やＦＡＡが承認した、ケアーズ型チャイルドシートが機内に持ち込みが可能であるため使用されている。このチャイルドシートは、体重１０ｋｇから２０ｋｇの幼児に対応可能なハーネス式のもので、日本人の標準体重では１歳から６歳までに対応可能なものである。
この国土交通省やＦＡＡが承認しているケアーズ型チャイルドシートに、乳児も使用できるように股間固定ベルト（パッド付）を設けて改良し、一般旅客自動車に幼児を乗車させる際に使用するものである。
【先行技術文献】
【特許文献】
【０００３】
【特許文献１】特開２０１９−２６１４７  公報
【非特許文献】
【０００４】
【非特許文献１】カタログ  Ａｍｓａｆｅ．ｉｎｃの「Ｋｉｄｓ  Ｆｌｙ  Ｓａｆｅ」
【考案の概要】
【考案が解決しようとする課題】
【０００５】  日本では、自動車の走行時における幼児の受傷事故を防止するため、自動車にはチャイルドシートの着用義務が課され、特開２０１９−２６１４７  のとおり座席型のチャイルドシートが使用されている。一方、一般旅客自動車運送事業の用に供される自動車は、チャイルドシート着用義務が免除されているため装備されていない。
このため、一般旅客自動車のチャイルドシートとして、着脱並びに収納が簡単で嵩張らないケアーズ型チャイルドシートに、股間固定ベルト（パッド付）を設けて、乳児も使用できるように改良して一般旅客自動車に幼児を乗車させる際の交通事故防止を図るものである。
【課題を解決するための手段】
【０００６】  本考案は  幼児の事故防止のため、一般旅客自動車の座席シートに、安全面に配慮して改良したケアーズ型チャイルドシートを使用するものである。
【考案の効果】
【００７】  本考案のチャイルドシートは、コンパクトであるため幼児連れの一般旅客自動車の利用が増加し、安全な陸上輸送手段が活発化する。また、既存の製品利用であるため低廉、かつ有効な安全対策と考えられる。
【図面の簡単な説明】
【０００８】
【図１】本考案のケアーズ型チャイルドシートの実施図である。
【考案を実施するための形態】
【０００９】  本考案は、幼児の事故防止のため、一般旅客自動車の座席シートに、安全面に配慮して改良したケアーズ型チャイルドシートを使用するものである。
【実施例】
【００１０】  １は座席シート、２は既設のシートベルト、３はケアーズ型チャイルドシートの周回ベルト、４はケアーズ型チャイルドシート上下締め付け部、５はケアーズ型チャイルドシート左右のベルト固定部、６はケアーズ型チャイルドシート下部の既設シートベルトとの接合部（貫通式）、７はケアーズ型チャイルドシートの周回ベルトの背面締め付け部、８はケアーズ型チャイルドシートの股間固定用パッド（貫通式）、９は８を付けたケアーズ型チャイルドシートである。
【産業上の利用可能性】
【００１１】  本考案は、低コストの交通事故防止対策であり、需要の増加等経済的効果も期待できる。
【符号の説明】
【００１２】１  座席シート  ２  既設のシートベルト  ３  ケアーズ型チャイルドシートの周回ベルト  ４  同シートの上下締め付け部  ５  同シートの左右のベルト固定部  ６  同シート下部の既設シートベルトとの接合部（貫通式）  ７  同シートの周回ベルトの背面締め付け部  ８  パッド  ９  同シートベルトパッド付股間固定ベルト
【図１】
0003223299.tif 000003
【手続補正書】
【提出日】令和1年7月17日(2019.7.17)
【手続補正１】
【補正対象書類名】実用新案登録請求の範囲
【補正対象項目名】全文
【補正方法】変更
【補正の内容】
【実用新案登録請求の範囲】
【請求項１】
一般旅客自動車のチャイルドシートとしてケアーズ幼児用航空機セーフティベルトシステム（以下、ケアーズ型チャイルドシートという。）に、パッド付の股間固定ベルトを設けて、乳児も使用できることを特徴とする一般旅客自動車用ケアーズ型チャイルドシート。
(57)【要約】      （修正有）【課題】一般的にペットは水を嫌がり、無理に入浴させると暴れて噛み付いたり引っ掻いたりして飼い主を手こずらせる問題を解決するペット用入浴器を提供する。【解決手段】ペット入浴器は、湯を貯めることが出来る下容器Ａと、下容器Ａを覆うことが出来る蓋カバーＨと、蓋カバーＨに設けた頭顔出し穴Ｂやその他の穴と、下容器Ａと蓋カバーＨを密閉維持する固定具Ｆを有し、下容器Ａの水やお湯を排泄可能な排水部Ｇを有する。【選択図】図１
0003223296.tif 000002
【実用新案登録請求の範囲】
【請求項１】
水又はお湯を貯めることが出来る下容器（Ａ）と前記下容器を覆うことが出来る蓋カバー（Ｈ）と前記蓋カバーに設けた頭顔出し穴（Ｂ）やその他の穴と前記下容器（Ａ）と前記蓋カバー（Ｈ）を密閉維持する固定具（Ｆ）を有するを特徴とするペットの入浴器
【請求項２】
「請求項２」に記載のペット入浴器において下容器（Ａ）の水やお湯を排泄可能な排水部（Ｇ）を有する事を特徴とするペット入浴器
【請求項３】
「請求項１」に記載のペットの入浴器おいて蓋カバー（Ｈ）よりペットが飛び出さない為に顔頭穴（Ｂ）より大きなドーナツ形のリングの一部を切り取り首のサイズに合う為の切り目を設けた首輪を特徴としたペットの入浴器
【考案の詳細な説明】
【技術分野】
【００１】本考案はペットの入浴に関するものである
【背景技術】
【００２】ペットの飼い主はペットを清潔に保つ為の入浴に関して大変苦労している
【先行技術文献】
【００３】特開２０１０−１０４２３８
【考案の概要】
【００４】一般的にペットは水を嫌がるもので無理にやると暴れて噛み付いたり引っ掻いたりして飼い主を手こずらせる本考案はこの問題を解決すべく考案されたペット用入浴器である
【考案がを解決しょうとする課題】
【００５】ペットのに付く汚れやノミ、匂い、汚れを取る為の方法は入浴させるのが１番の方法ではあるがペットは大変水を嫌がり無理にすると暴れ逃げたり引っ掻いたり時には噛むこともあり飼い主とっては苦労するものであるペットを如何に刺激せずに又飼い主も無理なく安全かつ簡単に入浴をさせてすすぎ、拭く、乾燥まで出来るか問題であった特に乾燥に関して抜け毛、フケ、汚れ、ノミ等空中に飛散し不衛生である
【問題を解決するための手段】
【００６】請求項１に記載のように水又はお湯を貯めることが出来る下容器（Ａ）と前記下容器を覆うことが出来る蓋カバー（Ｈ）と前記蓋カバーに設けた頭顔出し穴（Ｂ）やその他の穴と前記下容器（Ａ）と前記蓋カバー（Ｈ）を密閉維持する固定具（Ｆ）を有する
【００７】請求項２に記載のペット入浴器において下容器（Ａ）に下容器内に水やお湯を底から貯まり排泄可能な排水部（Ｇ）を有する
【００８】請求項３に記載のペットの入浴器おいて蓋カバー（Ｈ）よりペットが飛び出さない為に顔頭穴（Ｂ）より大きなドーナツ形のリングの一部を切り取り首のサイズに合う為の切り目を設けた首輪を有する
【考案の効果】
【００９】最初は当入浴に恐怖心があり手こずるが回を重ねることでペットも次第に慣れてきて簡単に入浴とすすぎ乾燥が安全かつ衛生的に出来る様になった
【図面の簡単な説明】
【０１０】
【図１】本考案のペット入浴器の蓋カバーと下容器を分離した斜視図である
【図２】ドーナツ形のリングの一部を切り取った首輪の平面図
【考案を実施するための形態】
【０１１】ペットが暴れて逃げない様に密閉した容器にペットを入れ蓋カバーに設けた穴より顔頭を出させ安心感を与え次にペットに恐怖心を与えないよう蓋カバーに設けた給水口より水やお湯、洗剤を容器底から貯め別穴２つより手を入れペットの体を洗い汚水を開閉排水口より排水し洗いを終える、上記工程を繰り返しすすぎも同時に行ない毛の乾燥は容器内にドライヤー等で温風を容器内に送りペットを乾かすよって洗い、すすぎ、拭く、乾燥もこの容器一つで可能となるペットの入浴器
【０１２】上記記載の入浴器において顔頭を出す穴からペットが暴れて逃げ出さないよう頭の口径より大きなドーナツ状の板を事前にペットに装着させることを特徴とする
【０１３】上記記載のペットの入浴器において水やお湯薬を満たしペットのトレーニングやリハベリーとして応用出来る
【０１４】上記記載の密閉容器内でペットの乾燥を行えば抜け毛  ノミ、フケ、ノミ等不衛生な物が空中に飛散せず衛生的に処理出来る
【実施例】
【０１５】開閉排水弁（Ｇ）を閉めを確認後図２の首輪を装着したペットを蓋カバーを取った下容器（Ａ）の中に入れ蓋カバー（Ｈ）を下容器（Ａ）に固定具（Ｆ）で蓋カバー（Ｈ）を固定させ頭を出す穴（Ｂ）よりペットの頭顔を出させ  注水口（Ｅ）から水やお湯、洗剤を徐々に連動している管（Ｊ）より下容器（Ａ）の底からペットの体が浸かるまで貯め別穴（Ｃ）より手を入れペットの体を洗うその後開閉排水口（Ｇ）より汚水を排水し再度上記記載の工程で綺麗な水やお湯で体をすすぎ、排水するその後同様に  乾いた布でペットの体を拭きドライヤー等で乾燥させる一連の工程をこの容器内で出来る事を特徴とするペットの入浴器
【産業上の利用可能性】
【０１６】現在ペットを清潔に保つ入浴に関して非常に苦労されていると思われる
【符号の説明】
【０１７】（Ａ）  下部貯水曹
（Ｂ）  顔頭を出す穴
（Ｃ）  手を入れる穴
（Ｄ）  オーバーフローの穴
（Ｅ）  給水口
（Ｆ）  固定具
（Ｇ）  開閉排水部
（Ｈ）  蓋カバー
（Ｊ）  管
（ア）  首輪
（イ）  首のサイズに合せる為の切り目
【図１】
0003223296.tif 000003
【図２】
0003223296.tif 000004
【手続補正書】
【提出日】令和1年7月11日(2019.7.11)
【手続補正１】
【補正対象書類名】実用新案登録請求の範囲
【補正対象項目名】全文
【補正方法】変更
【補正の内容】
【実用新案登録請求の範囲】
【請求項１】
湯を貯めることが出来る下容器（Ａ）と前記下容器を覆うことが出来る蓋カバー（Ｈ）と前記蓋カバーに設けた頭顔出し穴（Ｂ）やその他の穴と前記下容器（Ａ）と前記蓋カバー（Ｈ）を密閉維持する固定具（Ｆ）を有するを特徴とするペットの入浴器
【請求項２】
請求項１に記載のペット入浴器において下容器（Ａ）の水やお湯を排泄可能な排水部（Ｇ）を有する事を特徴とするペット入浴器
(57)【要約】      （修正有）【課題】点滴中に患者が一人で着脱することができる点滴用ガウンを提供する。【解決手段】ガウン２においてＬ字に開いている両袖と両脇を、袖用面ファスナー３、脇用面ファスナー４で閉じることによって、点滴中でも自由にガウンが着脱でき、点滴をしていない時には、両袖と両脇を閉じ、前面ファスナー５を使ってより簡単に着脱できることを特徴として点滴用ガウン１を構成する。【選択図】図１
0003223308.tif 000002
【実用新案登録請求の範囲】
【請求項１】
患者が着用する点滴用ガウンにおいて、左右とも袖と脇がＬ字状に開いた形状をなし、綿ファスナーによって簡単に閉じられる構造を特徴とした点滴用ガウン。
【請求項２】
請求項１に記載のある綿ファスナーにおいて、患者が間違えて閉じないように袖部と脇部で色を変えている点滴用ガウン。
【考案の詳細な説明】
【技術分野】
【０００１】本案件は、ガウンの袖と脇を綿ファスナーで開閉できるようにした、点滴用ガウンに関するものである。
【背景技術】
【０００２】従来は点滴中にガウンを着用したくなった場合、看護師に点滴の中断を依頼し、再度点滴をセットしてもらう必要があった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】本考案は従来のように点滴を中断する問題を解決し、看護師の手を借りずに一人で着脱でき、患者と看護師双方の負担を軽減する。
【課題を解決するための手段】
【０００６】本考案は、ガウンの両袖と両脇がＬ字状に開いており、それぞれに取り付けられた綿ファスナーで簡単に閉じることができる。点滴中でも一人でガウンを着脱でき、点滴をしていない時は、両袖と両脇の綿ファスナーを閉じて前面のファスナーを使うことにより、より簡単に着脱できる。
【考案の効果】
【０００７】上述のように、本考案の点滴用ガウンは点滴時に点滴を中断することなく、看護師の手を借りずに一人で着脱できる。看護師の負担の軽減と、患者が看護師を呼ぶ心理的負担をなくすことが期待できる。
【図面の簡単な説明】
【０００８】
【図１】本考案の点滴用ガウンの着用前の正面図である。
【図２】本考案の点滴用ガウンの着用時の正面図である。
【符号の説明】
【０００９】１  点滴用ガウン
２  ガウン
３  袖用綿ファスナー
４  脇用綿ファスナー
５  前面ファスナー
【図１】
0003223308.tif 000003
【図２】
0003223308.tif 000004
【手続補正書】
【提出日】令和1年7月11日(2019.7.11)
【手続補正１】
【補正対象書類名】実用新案登録請求の範囲
【補正対象項目名】全文
【補正方法】変更
【補正の内容】
【実用新案登録請求の範囲】
【請求項１】
患者が着用する点滴用ガウンにおいて、左右とも袖と脇がＬ字状に開いた形状をなし、面ファスナーによって簡単に閉じられる構造を特徴とした点滴用ガウン。
【請求項２】
請求項１に記載のある面ファスナーにおいて、患者が間違えて閉じないように袖部と脇部で色を変えている点滴用ガウン。
【手続補正２】
【補正対象書類名】明細書
【補正対象項目名】全文
【補正方法】変更
【補正の内容】
【考案の詳細な説明】
【技術分野】
【０００１】本案件は、ガウンの袖と脇を面ファスナーで開閉できるようにした、点滴用ガウンに関するものである。
【背景技術】
【０００２】従来は点滴中にガウンを着用したくなった場合、看護師に点滴の中断を依頼し、再度点滴をセットしてもらう必要があった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】本考案は従来のように点滴を中断する問題を解決し、看護師の手を借りずに一人で着脱でき、患者と看護師双方の負担を軽減する。
【課題を解決するための手段】
【０００６】本考案は、ガウンの両袖と両脇がＬ字状に開いており、それぞれに取り付けられた面ファスナーで簡単に閉じることができる。点滴中でも一人でガウンを着脱でき、点滴をしていない時は、両袖と両脇の面ファスナーを閉じて前面のファスナーを使うことにより、より簡単に着脱できる。
【考案の効果】
【０００７】上述のように、本考案の点滴用ガウンは点滴時に点滴を中断することなく、看護師の手を借りずに一人で着脱できる。看護師の負担の軽減と、患者が看護師を呼ぶ心理的負担をなくすことが期待できる。
【図面の簡単な説明】
【０００８】
【図１】本考案の点滴用ガウンの着用前の正面図である。
【図２】本考案の点滴用ガウンの着用時の正面図である。
【符号の説明】
【０００９】１  点滴用ガウン２  ガウン３  袖用面ファスナー４  脇用面ファスナー５  前面ファスナー
(57)【要約】      （修正有）【課題】操作性、保持性が良好で、使用の苦手な人や経験のない外国人が使い易い箸を提供する。【解決手段】分離している２本の箸の端部に弾性部位１をもうけて一体化及び二股構造とし、分岐点に弾性を持たせる。親指と人差し指の２本の指で箸を支え、相互に内側に挟む操作をする。分岐点には、手の平による握る部位２を付帯もしくは一体化することで保持性を確保する。この構造によって、箸としての操作と保持が容易となる。【選択図】図１
0003223310.tif 000002
【実用新案登録請求の範囲】
【請求項１】
弾性部位（１）及び握り部位（２）を設けた二股構造を有する一膳の箸。
【考案の詳細な説明】
【技術分野】
【０００１】  弾性作用を付加することで、開閉機能を持たせ、手の平で保持できる握り部位を付帯、もしくは一体化した箸に関するものである。
【背景技術】
【０００２】  従来の箸は、２本の箸を一膳として指の操作によって作用する。この２本の箸を操作するに、今だ正常な箸の持ち方が出来ない人や箸を使う経験のない外国人の難儀している姿を見受ける。簡便化が必要である。
【先行技術文献】
【実用新案文献】
【０００３】
【実用新案文献１】
登録番号３０８７５６２号
【考案の概要】
【考案を解決しようとする課題】
【０００４】  難儀な箸の操作性と保持性を解決しようとするものである。
【課題を解決するための手段】
【０００５】  箸を一体化及び二股構造とし、その分岐点に弾性部位（１）を持たせ、２本の指だけで相互に内側に挟む操作をする。その分岐点に手の平による握る部位（２）を付帯することで保持性を確保する。弾性の付加により操作性、手の平での握りによる保持性により、この課題を解決できる。
【考案の効果】
【０００６】  弾性を与えた二股の箸は、手の平で保持し、親指と人差し指で支え、相互に内側に挟む操作をするだけである。この箸の保持性、操作性の改善は、正常な箸の持ち方が出来ない人や箸を使う経験の少ない外国人には、非常に使い易い。また、本品は、フォークより多様である。なぜなら、本品は、容易に物を掴むことが出来るほか、フォークの役割も果たす。本品は、フォークに取って代わる可能性を有することが分かった。来日する外国人旅行者の増大や東京オリンピックに向けてのおもてなし商品として有用である。
【図面の簡単な説明】
【０００７】
【図１】  本考案の斜視図である。
【考案を実施するための形態】
【０００８】  本体の二股部位に弾性を設ける（１）。本体に握り部位を設ける（２）。本考案はこの様な構造である（図１）。
【実施例】
【０００９】  握り部位を，手の平で包み込むように握り、中指、薬指、小指で支える。分岐を各々親指と人差し指で支え、相互に内側に力を加えることにより、先端（３）にて物を掴む。
【符号の説明】
【００１０】    １  弾性部位
２  握り部位
３  先端部位
【図１】
0003223310.tif 000003
(57)【要約】      （修正有）【課題】回収を目的とするカゴにおいて、カゴ本体の安定性を高め、使いやすくした３点式回収カゴを提供する。【解決手段】カゴに紐３を取り付け、１方を１か所ａで支え、他方を２股に分け２か所ｂ、ｃで支える合計３点の支えを持つ仕様であり、カゴ本体１に取り付ける紐間の距離の比率を、それぞれ４：２：４の割合で取り付け、本体１前部分に紐３が１本、本体後ろ部分に紐３が２本ある状態とする。そのような仕様によってカゴが地面に対し平行に保たれ、また作業時に紐部分が使用者の作業を阻害しない仕様となっている。また、４：２：４の割合にすることによって等分の割合よりも開口部分が広くなるため、ものを入れやすくなっている。【選択図】図１
0003223309.tif 000002
【実用新案登録請求の範囲】
【請求項１】
回収カゴに３つの紐を設けて、前記回収カゴ開口部を３点式で支えることを特徴とした紐３点式回収カゴ。
【考案の詳細な説明】
【技術分野】
【０００１】本考案は主にゴミ回収や収穫した果実入れを目的としたカゴに１本の紐を取り付け、一方を１か所で支え、他方を２股に分け２か所で支える合計３点の支えを持つ仕様である。
【背景技術】
【０００２】従来の回収カゴは１本の紐を２点で支える仕様のため、作業時に支点を中心にどちらかに傾き、作業が不便であった。
【先行技術文献】
【特許文献】
【０００３】
【特許文献１】特開平０４−０１１８１６
【考案の概要】
【考案が解決しようとする課題】
【０００４】前述した作業時の傾きの問題は作業の際、カゴ本体を手で支えていなければ作業が出来ず、労働的負担である。従って支点を３点式にすることによって前途の欠点を解決しようとするものである。
【課題を解決するための手段】
【０００５】本考案は、カゴ本体と肩紐であるテープの片側末端を２股に分け、カゴ本体と肩紐の接合部を３点に増やし安定性を向上させることが可能である。
【考案の効果】
【０００６】上記のように接合部を３点に増やすことで作業時の傾きが軽減され地面に対してカゴ本体が平行に保持される。また一般的な２点式に比べてカゴ本体の保持力、安定力が高い。
【図面の簡単な説明】
【０００７】
【図１】本考案における仕様で作成される回収カゴの俯瞰図である。
【図２】回収カゴの使用図である。
【考案を実施するための形態】
【０００８】カゴ本体に取り付ける紐間の距離の比率を４：２：４にし、縫い付けをする。また紐の取り付けは前方箇所に１か所、後方箇所に２か所縫いＹ字にすることで肩掛けする際にカゴが地面に対し平行に固定され、自立する仕様となっている。
【実施例】
【０００９】以下添付図面に従って一実施例を説明する。１はメッシュ素材を全体に使い形成されたカゴ。２はカゴの形成保持のためのフチ。【００１０】２の縁部分には紐３を３か所（ａ：ｂ：ｃ）にそれぞれ４：２：４の距離感で取り付ける。また接続部品５は接続紐４の２股状になっている箇所に接続するように取り付ける。
【符号の説明】
【００１１】１  カゴ本体
２  フチ
３  紐
４  接続紐
５  接続部品
【図１】
0003223309.tif 000003
【図２】
0003223309.tif 000004
(57)【要約】      （修正有）【課題】手軽に包丁、まな板の補助、代用として使うことができ、またその切断面は鋭く、包丁、まな板でカットしたものと遜色ない食感、見映えを得ることのできる料理用器具を提供する。【解決手段】グリップ０３を握ることで器具の刃０７が前下方にスライドする構造で下方にある食材受け０２とスライドする刃０７により食材をカットすることができる料理用器具であって、器具の刃０７がスライドしながら食材をカットすることで押しつぶしながらカットするはさみ式料理用器具と違い、包丁、まな板と同じ鋭い切断面を得られる。【選択図】図２
0003223301.tif 000002
【実用新案登録請求の範囲】
【請求項１】
グリップを握ることで器具の刃が前下方にスライドする構造で下方にある食材受けとスライドする刃により食材をカットすることができる料理用器具。
【請求項２】
器具の刃がスライドしながら食材をカットすることで押しつぶしながらカットするはさみ式料理用器具と違い、包丁、まな板と同じ鋭い切断面を得られる料理用器具。
【考案の詳細な説明】
【技術分野】
【０００１】本発明は料理の際の食材のカットに関する。
【背景技術】
【０００２】料理の際の食材のカットに包丁、まな板を使うが、補助、代用として、手軽に使えるキッチンはさみなどがある。
【考案の概要】
【考案が解決しようとする課題】
【０００３】背景技術にあるキッチンはさみは２枚の刃で食材をはさみ、押し切るため食材の切断面が潰れ食感、見映え的に課題がある。【０００４】小さな食材を一々  包丁、まな板で食材をカットするのは洗浄、後片付けが大変という課題がある。
【課題を解決するための手段】
【０００５】本発明は包丁とまな板の補助、代用として使える料理用器具で、小さな食材を一々、まな板と包丁でカット、洗浄、後片付けという手間を軽減することで課題を解決手段とする。【０００６】本発明は器具の刃が前下方にスライドしながら食材をカットすることで包丁、まな板を使ってカットするのと遜色ない鋭い切断面を得られることで課題を解決手段とする。
【考案の効果】
【０００７】料理の際に包丁の補助、代用として手軽に食材をカットすることができた。【０００８】食材の切断面は包丁、まな板でカットしたのと同じ、鋭い面を得られ食感、見映えに遜色がなかった。
【図面の簡単な説明】
【０００９】
【図１】キッチンカッターの食材カットの姿図
【図２】キッチンカッターの構造図
【図３】キッチンカッターの仕組１
【図４】キッチンカッターの仕組２
【符号の説明】
【００１０】０１  カッター本体
０２  食材受け
０３  グリップ
０４  連結アーム
０５  バネ
０６  連結鋲
０７  刃
０８  波型食材スベリ留め
０９  上下
１０  斜方向スライド
【図１】
0003223301.tif 000003
【図２】
0003223301.tif 000004
【図３】
0003223301.tif 000005
【図４】
0003223301.tif 000006
(57)【要約】      （修正有）【課題】壁紙のジョイント部に上部のクロスの底面にはカットテープがあり、壁側のクロスの底面には下敷きテープを使用しているので、下敷きテープを使用した時は下敷きテープの厚みにより生まれる段差を解消する壁紙の定規を提供する。【解決手段】略長方形で幅方向に傾斜させた基板１の左右両端の底面に薄板３を配置して、幅方向に段差を形成した段差板４を前記薄板３を介して前記基板１とを固着した。【選択図】図１
0003223330.tif 000002
【実用新案登録請求の範囲】
【請求項１】
略長方形で幅方向に傾斜させた基板の左右両端の底面に薄板を配置して、幅方向に段差を形成した段差板を前記薄板を介して前記基板とを固着したことを特徴とする壁紙の定規。
【考案の詳細な説明】
【技術分野】
【０００１】  本考案は、壁紙の重なり合ったジョイント部の余剰部分の切断に関するものである。
【背景技術】
【０００２】  従来の壁紙の重なり合ったジョイント部の余剰部分の切断技術としては、長方形状の定規、地ベラの側端に沿ってカッター刃を挿入して切断方向に移動しながら切断をしていた。
【先行技術文献】
【０００３】
【特許文献】
【特許文献】実用新案登録３１９６１２４号公報
【考案の概要】
【考案が解決しようとする課題】
【０００４】  しかしながら、ジョイント部の上部のクロスの底面にはカットテープが、壁側のクロスの底面には下敷きテープを使用してるので、下敷きテープを使用した時は下敷きテープの厚みにより段差が約１ｍｍ生じ、それによりクロスカットの時にカッター刃の挿入角度が傾いてしまい正確な切断が出来ない。さらにクロスが乾いてきたらクロスが縮んで隙間が出来てしまう欠点を解決しようとするものである。
【課題を解決するための手段】
【０００５】  上記問題を達成するために、略長方形で幅方向に傾斜させた基板の左右両端の底面に薄板を配置して、横幅方向に段差約１ｍｍを形成した段差板の幅広い面を、前記薄板を介して前記基板より突出するように固着して問題を解決したものである。
【考案の効果】
【０００６】  上述の様に、本考案の壁紙の定規は略長方形で幅方向に傾斜させた基板の両端部の底面に薄板を配置して、幅方向に段差約１ｍｍを形成した段差板で基板の底面より幅広い面を、前記薄板を介して前記基板より突出するように固着したものであるから、下敷きテープを使用した時は下敷きテープの厚みにより段差が約１ｍｍ生じても、本考案の壁紙の定規は横幅方向に段差約１ｍｍを形成した段差板の幅広い段差の面を有しているので、定規をジョイント部の上部のクロスに押し当てた時、定規の底部がクロスに確実に噛み合うので、クロスカットの時にカッター刃の挿入角度が傾かずに正確な切断が出来る。【０００７】  また、略長方形で幅方向に傾斜させた基板の左右両端の底面に薄板を配置して基板とを固着しているので、定規をジョイント部の上部のクロスに押し当てた時、幅方向に傾斜させた基板の底面の横方向にモーメントが加わり、さらに基板の左右両端の底面に薄板を配置して段差板を固着しているので、基板と段差板の間に間隙が生じているにで、定規をジョイント部の上部のクロスに押し当てた時、少しの押し圧で基板の中央から両端部の底面にモーメントが加わるので、本考案の壁紙の定規を切断方向に移動する時には、壁紙と下地との空気を押し出しながら移動するので、、壁紙と下地との間に空気を含ませずに壁紙に密着して、壁紙の重なり合ったジョイント部の余剰部分をカッター刃で正確に切断出来る。【０００８】  そして、本考案の壁紙の定規は高い技術と熟練を必要とせず、定規をジョイント部の上部のクロスに押し当てる事により、クロスカットの時にカッター刃の挿入角度が傾かないので正確に切断が出来る。
【図面の簡単な説明】
【０００９】
【図１】  本考案の正面図
【図２】  本考案の一部切欠の拡大断面図
【考案を実施するための形態】
【００１０】  本考案は、略長方形で幅方向に傾斜させた基板の両端部の底面に薄板を配置して、横幅方向に段差約１ｍｍを形成した段差板の幅広い段差面を、前記薄板を介して前記基板より突出するように固着したものである。
以下、添付図面に従って一実施例を説明する。
【実施例】
【００１１】  図１及び図２は本考案の正面図と一部切欠の拡大断面図である。
１は略長方形で幅方向に傾斜させた基板であって木製である。２は基板の上部に設けた持ち手部である。３は薄い金属板であって基板１の左右両端の底面に配置されている。４は略長方形の金属の平板で幅方向に段差約１ｍｍを形成した段差板で、基板１の底面より幅広い面を、前記薄板３を介して前記基板１より突出するように固着したものである。【００１２】  本考案は以上の構成であるから、壁が重なり合うジョイント部の上部のクロスの底面にはカットテープが、壁側のクロスの底面には下敷きテープを使用してるので、下敷きテープを使用した時は下敷きテープの厚みにより段差が約１ｍｍ生じ、それによりクロスカットの時にカッター刃の挿入角度が傾いて正確な切断が出来ずに、クロスが乾いてきたらクロスが縮んで隙間が出来てしまうが、略長方形で幅方向に傾斜させた基板１の両端部の底面に薄板３を配置して、幅方向に段差約１ｍｍを形成した段差板４月で基板１の底面より幅広い面を、前記薄板３を介して前記基板１より突出するように固着した本考案の壁紙の定規であるから、下敷きテープを使用した時は下敷きテープの厚みにより段差が約１ｍｍ生じても、本考案の壁紙の定規は横幅方向に段差約１ｍｍを形成した段差板４の幅広い段差を有しているので、定規をジョイント部の上部のクロスに押し当てた時、定規の底部がクロスに噛み合うので、クロスカットの時にカッター刃の挿入角度が傾かずに正確な切断が出来る。【００１３】また、略長方形で幅方向に傾斜させた基板１の左右両端の底面に薄板３を配置して基板１とを固着しているので、定規をジョイント部の上部のクロスに押し当てた時、幅方向に傾斜させた基板１の底面の横方向にモーメントが加わり、さらに基板１の左右両端の底面に薄板３を配置して段差板４を固着しているので、基板１と段差板４の間に間隙が生じるので、定規をジョイント部の上部のクロスに押し当て、少しの押し圧で基板１の中央から左右両端の底面にモーメントが加わわり、切断箇所の上下のクロスが密着する。【００１４】その使用方法としては作業者が基板の上部に設けた握り部を手で持って、本考案の壁紙の定規を移動すると、壁紙と下地との空気を押し出しながら壁紙と下地との間に空気を含ませずに上下のクロスが密着するので、壁紙の重なり合ったジョイント部の余剰部分を敏速且つ正確に切断出来るものである。
【産業上の利用可能性】
【００１５】  本考案は、壁紙の定規を製造の産業で利用される。
【符号の説明】
【００１６】１  基板
２  持ち手部
３  薄板
４  段差板
【図１】
0003223330.tif 000003
【図２】
0003223330.tif 000004
(57)【要約】      （修正有）【課題】水彩画や水墨画で構成された御朱印を頂く際に、１枚の中紙に収め、色は発色がよく、水分により紙がよれたり皺がでない素材と構造の御朱印帳を提供する。【解決手段】一般的な御朱印帳の２倍に当たる幅を持たせ、中紙３には和紙ではなく、複数の水彩画用の水彩紙で構成されている。幅が横長になる事により、大きな水彩画を１枚に収めることが可能となり、また、水彩紙が紙の皺、よれを防ぎ、発色の良さを再現する構造となっている。【選択図】図１
0003223323.tif 000002
【実用新案登録請求の範囲】
【請求項１】
表表紙と、裏表紙と、該表表紙と該裏表紙内に綴じられた御朱印用に用いられる複数の水彩画用紙で構成された中紙とからなることを特徴とする御朱印帳。
【請求項２】
請求項１に記載の御朱印帳であって、前記中紙は同一方向に一回折した２枚水彩画用紙を貼り合わせた蛇腹状で片方づつを前記表表紙と前記裏表紙に接合した構造であることを特徴とする請求項１記載の御朱印帳。
【考案の詳細な説明】
【技術分野】
【０００１】      本考案は神社やお寺で参拝のしるしとして授与される御朱印を管理する御朱印帳に関する。
【背景技術】
【０００２】      神社や寺院において、参拝者に授与される証が御朱印であり、専用の御朱印帳に押印されていて、これらは和紙で構成されており、蛇腹式という製本構造で作られたものが一般的である。大きさも幅１１ｃｍ、縦１６ｃｍ程度の手のひらに収まる程度のものが主流となっている。（特許文献１参照）
【先行技術文献】
【特許文献】
【０００３】
【特許文献１】実用新案登録第３２０３６２２号  公報
【考案の概要】
【考案が解決しようとする課題】
【０００４】      しかしながら、近年では「アート御朱印」と言われる水彩画や水墨画で描かれた御朱印が増えてきており、それらは和紙に書くと紙が波打ったり、綺麗な色がでなかったり、裏に移ってしまったりするので通常の御朱印帳にアート御朱印を頂く事が難しい状況となっている。
【課題を解決するための手段】
【０００５】      本考案は前記の課題に鑑みてなされたものである。本考案の目的は美しいアート御朱印を美しい状態でアート御朱印専用の御朱印帳として保存する事を可能としている。
【考案の効果】
【０００６】      本考案の御朱印帳によれば、中紙に和紙ではなく、水彩画用の水彩紙を使用している。また、同一方向に一回折した２枚の水彩紙を貼り合わせて蛇腹状にすることにより、表と裏を両方とも使える仕様となっている。それを表表紙、裏表紙を糊で固定してくるむ事により、水彩画専用の御朱印帳構造になっている。
【図面の簡単な説明】
【０００７】
【図１】本考案の御朱印帳の一例の斜視図を示す。
【図２】本考案の御朱印帳の中紙位置の説明図となる。
【図３】本考案の御朱印帳の表紙の一例を示す。
【考案を実施するための形態】
【０００８】  以下、本考案の実施形態を図面に基づいて説明する。なお、以下の説明は本考案の一実施形態について説明するものであり、本考案の技術思想を具体化するための例示であって、本考案は以下の実施形態に限定されるものではない。本考案は実用新案登録請求の範囲に示した技術思想に逸脱することなく変更を行ったものにも適用し得るものである。特に実施の形態に記載されている構成部品の寸法、材質、形状は特に特定した記載がない限りは単なる説明にすぎず、本考案の範囲を限定する趣旨ではない。
【０００９】（実施形態１）
図１は本考案の御朱印帳の外観図となる。横長の中紙３は表表紙１、裏表紙２の２枚で構成された表紙と接着されている。図２は中紙３を分解した構成図となる。図４は表紙の構成となりる以下、順を追って説明する。
【００１０】まずは図１の本考案の御朱印帳の概略図から説明する。表表紙１、裏表紙２で構成された１枚の表紙と、中紙３１、中紙３２という具合に複数枚が接着した中紙３とが綴じられた本の構成をしている。
【００１１】中紙の構成はこうである。まず横長の中紙３１は真ん中で縦方向に折られている。これは中紙３２、中紙３３等も同じく処置されている。中紙３１の隣の中紙３２は向きを逆に配置する。さらに隣の中紙３３は中紙３１と同じ向きに配置し、中紙３４は中紙３２と同じ向きで配置する。これを２４枚組み合わせたものを１冊分とする。
【００１２】中紙３１は隣の中紙３２と接合部３ａ、３ｂの２か所で接着する。同じく中紙３２は隣の中紙３３と接合部３ｃ、３ｄの２か所で接着する。これを２４枚繰り返して、２４枚の中紙が蛇腹状ですべてが張り合わされた状態を作り、アート御朱印帳の３となる。
【００１３】図３は本考案の御朱印帳表紙部分となる。表表紙１、裏表紙２の２枚で中紙３の両端と接合し御朱印帳となる。
次に中紙と表紙を接着させる場合だが、中紙４ｃと表表紙１、中紙４１と裏表紙３がそれぞれ貼り合わせられ本の構造となる。４ｂと背表紙２は接着されずに、背紙５に補強された中紙４ｂが浮いた構成となるため、御朱印帳を開いたときに１８０度開閉する事ができる。
【符号の説明】
【００１４】  １    表表紙
２    裏表紙
３    中紙
３１、３２、３３    中紙
３ａ、３ｂ、３ｃ、３ｄ、３ｅ、３ｆ    接合部
【図１】
0003223323.tif 000003
【図２】
0003223323.tif 000004
【図３】
0003223323.tif 000005